(57)【要約】【課題】  電力の利用効率が高い、負荷種類の制約が少ない電力増幅器を提供する。【解決手段】  本発明は、１又は複数の負荷に電力増幅した目的信号を供給する電力増幅器に関する。そして、１又は複数の入力信号から、少なくとも２種類の中間信号を形成する信号変換手段と、各中間信号をそれぞれ増幅する中間信号増幅手段とを備え、各負荷の両端に、差分が目的信号となる増幅された２種類の中間信号を印加し、当該負荷を目的信号で駆動することを特徴とする。【選択図】      図１
2008283389.tif 000002
【特許請求の範囲】
【請求項１】
１又は複数の負荷に電力増幅した目的信号を供給する電力増幅器において、
１又は複数の入力信号から、少なくとも２種類の中間信号を形成する信号変換手段と、
上記各中間信号をそれぞれ増幅する中間信号増幅手段とを備え、
上記各負荷の両端に、差分が上記目的信号となる増幅された２種類の中間信号を印加し、当該負荷を上記目的信号で駆動する
ことを特徴とする電力増幅器。
【請求項２】
上記負荷が、共通端子を有する第１及び第２の負荷であり、
上記信号変換手段は、上記第１及び第２の負荷にそれぞれ供給することを意図した２種類の入力信号から、上記共通端子用の中間信号、上記第１の負荷の固有端子用の中間信号、及び、上記第２の負荷の固有端子用の中間信号を形成する
ことを特徴とする請求項１に記載の電力増幅器。
【請求項３】
上記中間信号増幅手段は、単一電源のスイッチングアンプを利用したものであることを特徴とする請求項１又は２に記載の電力増幅器。
【請求項４】
上記中間信号増幅手段が、上記各中間信号をそれぞれ増幅する処理系のゲインの相違をキャンセルできるゲイン調整部を内蔵することを特徴とする請求項１〜３のいずれかに記載の電力増幅器。
【請求項５】
負荷が複数のグループに分かれており、上記中間信号増幅手段をいずれかのグループの負荷に択一的に接続する負荷グループ切替手段をさらに有することを特徴とする請求項１〜４のいずれかに記載の電力増幅器。
【請求項６】
所定の交流信号を発生する信号発生源を備え、この信号発生源が発生した交流信号を上記入力信号の一つとして利用することを特徴とする請求項１〜５のいずれかに記載の電力増幅器。
【発明の詳細な説明】
【技術分野】
【０００１】
本発明は電力増幅器に関し、例えば、ＰＷＭ（Ｐｕｌｓｅ  Ｗｉｄｔｈ  Ｍｏｄｕｌａｔｉｏｎ）アンプなどのディジタル電力増幅器に適用し得るものである。
【背景技術】
【０００２】
近年、電力増幅器（アンプ）のディジタル化が急速に進みつつある。特に、オーディオアンプにおいては、本格的な採用に目覚ましいものがある。ディジタル電力増幅器（いわゆるスイッチングアンプ）を搭載する機器としては、ヘッドフォン、ＤＶＤプレイヤ、ミニコンポ、テレビ受像器、パソコン、携帯電話機等がある。
【０００３】
従来、図５に示すような単一電源で動作するスイッチングアンプ（例えば特許文献１参照）を用いて、図６に示すようなＧＮＤ（グランド）共通の負荷回路を駆動する場合、一般的に、スイッチングアンプの出力には電源電圧の１／２のＤＣオフセット電圧が現れるため（図５参照）、ＤＣオフセット電圧があっては動作しない負荷（例えば、オーディオアンプの負荷となるヘッドフォンやスピーカ）をそのまま駆動することはできなかった。
【０００４】
上述したＤＣオフセット電圧の問題を解決するために、いくつかの手法が知られているが、それらの各手法も課題を有している。
【０００５】
図７は、スイッチング回路ＡＭＰ０の出力を、ローパスフィルタＬＰＦ０を介して平滑化した後、直流カットキャパシタＣ０を通過させ、ＤＣオフセット電圧を除去する手法を示している。しかしながら、この手法では、大容量のキャパシタが必要となるため、スペースファクタが悪化するという課題があった。
【０００６】
図８は、ＤＣオフセット電圧を除去するための補償用のオフセット電圧の形成構成を示している。すなわち、電源電圧Ｖｃｃを、抵抗Ｒ１及びＲ２による抵抗分割によって分圧した後、リニアアンプ回路ＡＭＰ１を介して増幅して補償用のオフセット電圧を形成し、この補償用のオフセット電圧によって、スイッチングアンプの出力に含まれているＤＣオフセット電圧を除去する手法も存在する。しかしながら、リニアアンプ回路ＡＭＰ１からの補償用のオフセット電圧は、スイッチングアンプの出力に含まれているＤＣオフセット電圧と相関性を持たないため、ＤＣオフセット電圧を高精度にはキャンセルできないという課題があった。
【０００７】
上述した２つの手法の課題に鑑み、図９に示す電力増幅器も提案されている（特許文献２参照）。各入力信号に対するスイッチング制御信号を形成するＰＷＭコントロール回路１０が、ＤＣオフセット電圧をキャンセルするための基準電圧を形成させるスイッチング制御信号を出力し、このスイッチング制御信号に応じて、スイッチング回路ＡＭＰ３がスイッチングして基準電圧用のＰＷＭ信号を出力し、ローパスフィルタＬＰＦ３を介してＤＣオフセット電圧を除去するための補償用のオフセット電圧に変換して、負荷ＬＤ１、ＬＤ２の一端に印加し、信号用のスイッチングアンプＡＭＰ２、ＡＭＰ４の出力に含まれているＤＣオフセット電圧を除去する。
【特許文献１】特開昭５８−２６５７２号公報
【特許文献２】特開２００１−２２３５４５号公報
【発明の開示】
【発明が解決しようとする課題】
【０００８】
しかしながら、図９に示す電力増幅器では電力の利用効率が低いという課題を有する。図１０（Ａ）は、ＢＴＬ（Ｂｒｉｄｇｅｄ  Ｔｒａｎｓｌｅｓｓ）接続の電力増幅器を示しており、図１０（Ｂ）は、図９の一方の負荷ＬＤ１又はＬＤ２に着目して図９の構成部分を示している。図９に示す電力増幅器が、単に、ＤＣオフセット電圧を除去しているだけである一方、ＢＴＬ接続の電力増幅器は出力信号のダイナミックレンジを２倍にしているため、ＢＴＬ接続の電力増幅器の出力電力は図９に示す電力増幅器の４（＝２２）倍になる。
【０００９】
そのため、電力の利用効率が高い、しかも、負荷種類の制約が少ない電力増幅器が望まれている。
【課題を解決するための手段】
【００１０】
本発明は、１又は複数の負荷に電力増幅した目的信号を供給する電力増幅器において、１又は複数の入力信号から、少なくとも２種類の中間信号を形成する信号変換手段と、上記各中間信号をそれぞれ増幅する中間信号増幅手段とを備え、上記各負荷の両端に、差分が上記目的信号となる増幅された２種類の中間信号を印加し、当該負荷を上記目的信号で駆動することを特徴とする。
【発明の効果】
【００１１】
本発明によれば、電力の利用効率が高い、しかも、負荷種類の制約が少ない電力増幅器を提供することができる。
【発明を実施するための最良の形態】
【００１２】
（Ａ）第１の実施形態
以下、本発明による電力増幅器を、オーディオアンプ用のスイッチングアンプ（ディジタル電力増幅器）に適用した第１の実施形態を、図面を参照しながら詳述する。
【００１３】
図１は、第１の実施形態に係るスイッチングアンプ１００の全体構成を示すブロック図である。
【００１４】
図１において、第１の実施形態に係るスイッチングアンプ１００は、２個のスピーカ（負荷）ＳＰＬ及びＳＰＲに対して電力増幅したオーディオ信号を供給するものであり、第１〜第３の信号変換回路１０１−１〜１０１−３、第１〜第３のＰＷＭコントロール回路１０２−１〜１０２−３、第１〜第３のスイッチング回路１０３−１〜１０３−３、及び、第１〜第３のローパスフィルタ１０４−１〜１０４−３を有する。
【００１５】
第１〜第３の信号変換回路１０１−１〜１０１−３は、複数（図１では２個）の入力信号を、異なる複数（図１では３個）の信号（中間信号）に変換するマトリクス回路を構成しているものである。
【００１６】
この第１の実施形態の場合、各信号変換回路１０１−１〜１０１−３にはそれぞれ、２種類のオーディオ信号（以下、Ａ、Ｂで表す；ディジタル信号、アナログ信号のいずれであっても良い）が入力されている。第１の信号変換回路１０１−１は、例えば、「Ｂ−Ａ」の中間信号を得て、対応するＰＷＭコントロール回路１０２−１に与える。第２の信号変換回路１０１−２は、例えば、「Ａ＋Ｂ」の中間信号を得て、対応するＰＷＭコントロール回路１０２−２に与える。第３の信号変換回路１０１−３は、例えば、「Ａ−Ｂ」の中間信号を得て、対応するＰＷＭコントロール回路１０２−３に与える。
【００１７】
第１〜第３のＰＷＭコントロール回路１０２−１〜１０２−３はそれぞれ、入力された信号に基づき、対応するスイッチング回路１０３−１〜１０３−３に対するスイッチング制御信号を形成して出力するものである。形成されるスイッチング制御信号は、スイッチング回路１０３−１〜１０３−３の内蔵する複数のスイッチング素子（一般的には１対又は２対）がこのスイッチング制御信号に応じてオンオフ動作したときに、スイッチング回路１０３−１〜１０３−３から、中間信号に応じたＰＷＭ信号が出力させる信号となっている。
【００１８】
第１〜第３のスイッチング回路１０３−１〜１０３−３はそれぞれ、例えば、単一電源で動作するスイッチング回路であり、対応するＰＷＭコントロール回路１０２−１〜１０２−３から与えられたスイッチング制御信号に応じて、内蔵する複数のスイッチング素子をオンオフし、単一電源の電源電圧に応じたダイナミックレンジを有するＰＷＭ信号を形成して出力するものである。
【００１９】
第１〜第３の信号変換回路１０１−１〜１０１−３からの出力信号が上述したような中間信号であるので、第１のスイッチング回路１０３−１は、「Ｂ−Ａ」の中間信号に対応するＰＷＭ信号を出力し、第２のスイッチング回路１０３−２は、「Ａ＋Ｂ」の中間信号に対応するＰＷＭ信号を出力し、第３のスイッチング回路１０３−１は、「Ａ−Ｂ」の中間信号に対応するＰＷＭ信号を出力する。
【００２０】
第１〜第３のローパスフィルタ１０４−１〜１０４−３はそれぞれ、対応するスイッチング回路１０３−１〜１０３−３から出力されたＰＷＭ信号を積分してアナログ信号に変換するものである。図１では、インダクタ及びキャパシタの梯子型接続でなるものを示したが、ローパスフィルタ１０４−１〜１０４−３の具体的構成は図１に示すものに限定されないことは勿論である。
【００２１】
これらのアナログ信号は、対応するＰＷＭコントロール回路１０２−１〜１０２−３に入力された中間信号を増幅した信号となっている。すなわち、第１のローパスフィルタ１０４−１は、「Ｂ−Ａ」の中間信号を増幅したアナログ信号を出力し、第２のローパスフィルタ１０４−２は、「Ａ＋Ｂ」の中間信号を増幅したアナログ信号を出力し、第３のローパスフィルタ１０４−３は、「Ａ−Ｂ」の中間信号を増幅したアナログ信号を出力する。
【００２２】
一方の負荷であるスピーカＳＰＬの一端は、第２のローパスフィルタ１０４−２の出力端に接続され、スピーカＳＰＬの他端は、第１のローパスフィルタ１０４−１の出力端に接続されている。従って、スピーカＳＰＬは、第２のローパスフィルタ１０４−２の出力信号と、第１のローパスフィルタ１０４−１の出力信号との差分によって駆動される。
【００２３】
他方の負荷であるスピーカＳＰＲの一端は、第２のローパスフィルタ１０４−２の出力端に接続され、スピーカＳＰＲの他端は、第３のローパスフィルタ１０４−３の出力端に接続されている。従って、スピーカＳＰＲは、第２のローパスフィルタ１０４−２の出力信号と、第３のローパスフィルタ１０４−３の出力信号との差分によって駆動される。
【００２４】
第１のＰＷＭコントロール回路１０２−１、第１のスイッチング回路１０３−１及び第１のローパスフィルタ１０４−１でなる系列の増幅率、第２のＰＷＭコントロール回路１０２−２、第２のスイッチング回路１０３−２及び第２のローパスフィルタ１０４−２でなる系列の増幅率、並びに、第３のＰＷＭコントロール回路１０２−３、第３のスイッチング回路１０３−３及び第３のローパスフィルタ１０４−３でなる系列の増幅率は「１」よりはるかに大きい同じ値αをとるものである。ここでの増幅率αは中間信号「Ｂ−Ａ」、「Ａ＋Ｂ」、「Ａ−Ｂ」に対する増幅率となっている。
【００２５】
一方のスピーカＳＰＬの両端には、信号α（Ａ＋Ｂ）及び信号α（Ｂ−Ａ）が印加されたことになり、それらの差分α（Ａ＋Ｂ）−α（Ｂ−Ａ）＝２αＡの信号によってスピーカＳＰＬが駆動され、また、他方のスピーカＳＰＲの両端には、信号α（Ａ＋Ｂ）及び信号α（Ｂ−Ａ）が印加されたことになり、それらの差分α（Ａ＋Ｂ）−α（Ａ−Ｂ）＝２αＢの信号によってスピーカＳＰＲが駆動される。
【００２６】
すなわち、スピーカＳＰＬは一方の入力信号Ａを２α倍した増幅信号が供給されて駆動され、スピーカＳＰＲは他方の入力信号Ｂを２α倍した増幅信号が供給されて駆動される。
【００２７】
図２は、第１の実施形態に係るスイッチングアンプ１００における入力信号、中間信号及び出力信号（目的信号）の信号波形図である。
【００２８】
第１の実施形態に係るスイッチングアンプ１００においては、２つの入力信号Ａ及びＢは、第１〜第３の信号変換回路１０１−１〜１０１−３によって、３つの中間信号「Ｂ−Ａ」、「Ａ＋Ｂ」、「Ａ−Ｂ」に変換され、これらの中間信号が、ＰＷＭコントロール回路、スイッチング回路及びローパスフィルタでなる処理系列によってそれぞれ増幅される。増幅された２つの中間信号がスピーカの両端に印加されるので、２つの中間信号の差分２αＡ、２αＢがスピーカへの出力信号となる。
【００２９】
ここで、仮に、一対のスピーカＳＰＬ及びＳＰＲが、図１に矩形破線で示すような、Ｌチャンネル、ＧＮＤ、Ｒチャンネルの３個の端子Ｔ１〜Ｔ３を有する部分として販売されている場合には、Ｌチャンネル端子Ｔ１に第１のローパスフィルタ１０４−１の出力端を接続させ、ＧＮＤ端子Ｔ２に第２のローパスフィルタ１０４−２の出力端を接続させ、Ｒチャンネル端子Ｔ３に第３のローパスフィルタ１０４−３の出力端を接続させれば良い。
【００３０】
第１の実施形態に係るスイッチングアンプによれば、２つの入力信号を３つの中間信号に変換した後、増幅し、各スピーカ（負荷）の両端には増幅された２種類の中間信号を印加するようにしたので、以下の効果を奏することができる。
【００３１】
第１〜第３のスイッチング回路１０３−１〜１０３−３に、単一電源で動作するスイッチング回路を適用し、その出力にＤＣオフセット電圧が存在していたとしても、簡易な構成によって、スピーカ（負荷）への出力信号からそのＤＣオフセット電圧を高精度にキャンセルすることができる。その結果、電源の抵抗分圧回路やリニアアンプ回路を用いるようなことをなくすことができる。
【００３２】
また、一対の負荷がＧＮＤ共通端子を有する場合であっても、接地するわけではないが、容易に対応することができる。
【００３３】
さらに、スピーカ（負荷）への出力信号を２種類の中間信号の差分として得ているため、一般的なＢＴＬ接続と同様な出力信号を得ることができ、出力の利用効率を高くすることができる。
【００３４】
このように出力の利用効率が高くなるので、第１の実施形態に係るスイッチングアンプを、ヘッドフォンやイヤフォンを負荷とする装置に用いた場合には、以下のような２つの利点がある。
【００３５】
第１の実施形態に係るスイッチングアンプは、小型でも、従来型アンプに比べて大出力が可能なため、図１１（Ａ）に示すような出力制限抵抗を付加した定電流駆動回路としてではなく、図１１（Ｂ）に示すような出力制限抵抗を必要としない定電圧駆動回路として実装することができる。出力制限抵抗を必要としない分だけ、ダンピングファクタを大幅に改善でき、その結果、音質の向上を見込むことができる。
【００３６】
また、一般に、ヘッドフォンやイヤフォンは、インピーダンスの周波数特性が、いわゆるスピーカに比べて、変化が少ない平坦な特性であるため、定電流駆動ではなく、上述したような定電圧駆動とすることにより、安定した周波数特性を得ることができ、その結果、音質の向上を見込むことができる。
【００３７】
（Ｂ）第２の実施形態
次に、本発明による電力増幅器を、オーディオアンプ用のスイッチングアンプに適用した第２の実施形態を、図面を参照しながら説明する。
【００３８】
図３は、第２の実施形態に係るスイッチングアンプ１００Ａの全体構成を示すブロック図であり、第１の実施形態に係る図１との同一、対応部分には同一符号を付して示している。
【００３９】
図３において、第２の実施形態に係るスイッチングアンプ１００Ａは、第１の実施形態の構成に加え、ゲイン調整用の２個のボリューム１０５−１、１０５−３を有する。ボリューム１０５−１は、第１の信号変換回路１０１−１及び第１のＰＷＭコントロール回路１０２−１の間に介挿されており、第１の信号変換回路１０１−１から出力された中間信号を操作子位置に応じてアッテネートして第１のＰＷＭコントロール回路１０２−１に与えるものである。ボリューム１０５−３は、第３の信号変換回路１０１−３及び第３のＰＷＭコントロール回路１０２−３の間に介挿されており、第３の信号変換回路１０１−３から出力された中間信号を操作子位置に応じてアッテネートして第３のＰＷＭコントロール回路１０２−３に与えるものである。
【００４０】
信号変換回路１０１−１〜１０１−３からローパスフィルタ１０４−１〜１０４−３へ至る３系統（３チャンネル）の処理系は同一構成であることが理想である。しかしながら、抵抗などの部品の精度（バラツキ）に依存してチャンネルセパレーションが悪化する恐れがある。このような系統（チャンネル）の相違を、上述したボリューム１０５−１及び１０５−３の調整によって除去できるようにしている。
【００４１】
第２の実施形態における負荷である一対のスピーカＳＰＬ及びＳＰＲは共通の端子Ｔ２を有している。そこで、この第２の実施形態では、共通端子Ｔ２に係る系統（信号変換回路１０１−２からローパスフィルタ１０４−２へ至る系統）を基準として、他の系統をこの基準系統に合わせ込めるように、ボリューム１０５−１及び１０５−３を設けている。
【００４２】
第２の実施形態によっても、第１の実施形態と同様な効果を奏することができ、さらに、部品の精度などによって系統間で相違が生じても容易に調整し、相違を除去できるという効果を奏することができる。
【００４３】
（Ｃ）第３の実施形態
次に、本発明による電力増幅器を、オーディオアンプ用のスイッチングアンプに適用した第３の実施形態を、図面を参照しながら説明する。
【００４４】
図４は、第３の実施形態に係るスイッチングアンプ１００Ｂの全体構成を示すブロック図であり、第１の実施形態に係る図１との同一、対応部分には同一符号を付して示している。
【００４５】
第３の実施形態に係るスイッチングアンプ１００Ｂは、ヘッドフォンのスピーカ対と装置内蔵のスピーカ対のような、２対のスピーカＳＰＬ−１及びＳＰＲ−１、ＳＰＬ−２及びＳＰＲ−２を有し、一方のスピーカ対だけを有効（ホット）とする装置を前提としている。例えば、ヘッドフォンジャックをジャック受部に挿入していないときはスピーカＳＰＬ−１及びＳＰＲ−１が有効（ホット）であり、ヘッドフォンジャックをジャック受部に挿入したときには、ヘッドフォンのスピーカＳＰＬ−２及びＳＰＲ−２が自動的に有効となる装置などに適用し得る。また例えば、パワーアンプ用又は店頭デモ用スピーカ切替器を有する装置に対しても、この第３の実施形態を適用し得る。
【００４６】
図４において、第３の実施形態に係るスイッチングアンプ１００Ｂは、第１の実施形態の構成に加え、スピーカセレクタ１０６を有する。スピーカセレクタ１０６は、３個の入力端子Ｔ１１〜Ｔ１３と、８個の出力端子Ｔ２１〜Ｔ２８と、連動動作する２個のスイッチＳＷ１、ＳＷ２とを有している。
【００４７】
３個の入力端子Ｔ１１〜Ｔ１３はそれぞれ、第１〜第３のローパスフィルタ１０４−１〜１０４−３の出力端に接続されている。また、入力端子Ｔ１１は、スイッチＳＷ１の共通の入力端に接続されており、入力端子Ｔ１２は、出力端子Ｔ２２、Ｔ２４、Ｔ２６及びＴ２８に接続されており、入力端子Ｔ１３は、スイッチＳＷ２の共通の入力端に接続されている。スイッチＳＷ１及びＳＷ２の第１の出力端ａはそれぞれ、出力端子Ｔ２１、Ｔ２５に接続されており、スイッチＳＷ１及びＳＷ２の第２の出力端ｂはそれぞれ、出力端子Ｔ２３、Ｔ２７に接続されている。出力端子Ｔ２１及びＴ２２間にはスピーカＳＰＬ−１が接続され、出力端子Ｔ２３及びＴ２４間にはスピーカＳＰＬ−２が接続され、出力端子Ｔ２５及びＴ２６間にはスピーカＳＰＲ−１が接続され、出力端子Ｔ２７及びＴ２８間にはスピーカＳＰＲ−２が接続されている。
【００４８】
スイッチＳＷ１及びＳＷ２が、第１の出力端ａを選択している際には、スピーカＳＰＬ−１及びＳＰＲ−１が、上述した第１の実施形態で説明したように、第１〜第３のローパスフィルタ１０４−１〜１０４−３に対して接続され、有効に発音動作する。
【００４９】
これに対して、スイッチＳＷ１及びＳＷ２が、第２の出力端ｂを選択している際には、スピーカＳＰＬ−２及びＳＰＲ−２が、上述した第１の実施形態で説明したように、第１〜第３のローパスフィルタ１０４−１〜１０４−３に対して接続され、有効に発音動作する。
【００５０】
この第３の実施形態によっても、第１の実施形態と同様な効果を奏することができる。従来のＢＴＬ接続では、２対のスピーカのホット側を切り替えるような構成に適用することができない。第３の実施形態によれば、ＢＴＬ接続と同程度の高出力を、２対のスピーカのホット側を切り替える構成に対しても達成することができる。
【００５１】
（Ｄ）他の実施形態
上記各実施形態の説明においても、種々変形実施形態に言及したが、さらに、以下に例示するような変形実施形態を挙げることができる。
【００５２】
上記各実施形態では、１対のスピーカが共通の端子を有するものを示したが、１対のスピーカが共通の端子を備えない場合にも、本発明を適用することができる。各スピーカ用に２系統ずつの４系統の中間信号の処理系を設け、各スピーカがそれぞれ、２種類の増幅された中間信号の差分の信号（目的信号）で動作するようにすれば良い。
【００５３】
また、上記各実施形態では、目的信号が異なる負荷（スピーカ）が２個の場合を示したが、負荷が１個や３個以上の場合にも本発明を適用することができる。負荷が３個以上の場合において、上記各実施形態のように、負荷の一方の端子を共通端子に接続したものであっても良い。
【００５４】
入力信号の数や中間信号の数や目的信号の数、中間信号の内容や目的信号の内容等は、上記各実施形態のものに限定されるものではない。例えば、入力信号がＡ、Ｂの場合に、目的信号がＡ、Ｂ、Ａ＋Ｂ（又はこれらの定数倍）の３種類であっても良く、−（Ａ＋Ｂ）を目的信号とするようにしても良い。また、中間信号は、２種類の中間信号の差分が目的信号となるものであれば、その内容は問われないものである。
【００５５】
ここで、入力信号とは、信号変換回路１０１へ入力する段階の信号を言っている。例えば、目的信号がｎＡ＋ｍＢが信号Ａ及びＢの線形和の場合、信号Ａ及びＢをそれぞれｎ倍、ｍ倍したものを信号変換回路１０１へ入力するようにすれば良い。なお、信号変換回路１０１で定数倍を実行するものも、本発明の技術的範囲に属する。
【００５６】
上記各実施形態では、中間信号を、入力信号だけから形成するものを示したが、中間信号の形成に、ダミーの入力信号を利用するようにしても良い。
【００５７】
図１２は、このような変形実施形態の構成の一例を示すブロック図であり、上述した図１との同一、対応部分には同一符号を付して示している。図１２に示す変形実施形態の場合、任意の交流信号（例えば、所定周波数の正弦波信号；ダミーの入力信号）Ｎを発生する信号発生源１０７を備えており、第１の信号変換回路１０１−１は第１の入力信号Ｌと任意信号Ｎとを加算した中間信号Ｌ＋Ｎを形成し、第２の信号変換回路１０１−２は任意信号Ｎをそのまま中間信号として出力し（通過機能であるので、図１２では第２の信号変換回路１０１−２を省略している）、第３の信号変換回路１０１−３は第２の入力信号Ｒと任意信号Ｎとを加算した中間信号Ｒ＋Ｎを形成している。これ以降の処理段は、第１の実施形態と同様である。
【００５８】
上記各実施形態では、各系統の中間信号を増幅する増幅器がＰＷＭアンプであるものを示したが、各系統の増幅器はＰＷＭアンプに限定されるものではない。ＤＣオフセットが生じ易い増幅構成を中間信号の増幅器に適用した場合であれば、本発明は有効である。
【００５９】
上記各実施形態では、負荷がスピーカの場合を示したが、負荷の種類が限定されないことは勿論である。
【図面の簡単な説明】
【００６０】
【図１】第１の実施形態に係るスイッチングアンプの全体構成を示すブロック図である。
【図２】第１の実施形態に係るスイッチングアンプの各部信号波形図である。
【図３】第２の実施形態に係るスイッチングアンプの全体構成を示すブロック図である。
【図４】第３の実施形態に係るスイッチングアンプの全体構成を示すブロック図である。
【図５】単一電源で動作するスイッチングアンプのイメージ図である。
【図６】ＧＮＤ（グランド）共通の負荷回路を示す説明図である。
【図７】単一電源で動作するスイッチング回路のＤＣオフセット電圧を除去する従来の手法（その１）の説明図である。
【図８】単一電源で動作するスイッチング回路のＤＣオフセット電圧を除去する従来の手法（その２）の説明図である。
【図９】従来の電力増幅器の構成を示すブロック図である。
【図１０】図９の電力増幅器の課題の説明図である。
【図１１】第１の実施形態に係る効果の説明図である。
【図１２】変形実施形態に係るスイッチングアンプの全体構成を示すブロック図である。
【符号の説明】
【００６１】
１００、１００Ａ、１００Ｂ、１００Ｃ…スイッチングアンプ、１０１−１〜１０１−３…信号変換回路、１０２−１〜１０２−３…ＰＷＭコントロール回路、１０３−１〜１０３−３…スイッチング回路、１０４−１〜１０４−３…ローパスフィルタ、１０５−１、１０５−３…ゲイン調整用ボリューム、１０６…スピーカセレクタ、１０７…信号発生源、ＳＰＬ、ＳＰＬ−１、ＳＰＬ−２、ＳＰＲ、ＳＰＲ−１、ＳＰＲ−２…スピーカ（負荷）。
【図１】
2008283389.tif 000003
【図２】
2008283389.tif 000004
【図３】
2008283389.tif 000005
【図４】
2008283389.tif 000006
【図５】
2008283389.tif 000007
【図６】
2008283389.tif 000008
【図７】
2008283389.tif 000009
【図８】
2008283389.tif 000010
【図９】
2008283389.tif 000011
【図１０】
2008283389.tif 000012
【図１１】
2008283389.tif 000013
【図１２】
2008283389.tif 000014